(57)【特許請求の範囲】
【請求項１】
モルタルやコンクリートで被覆形成されている法面の凹部分に適数の固定金具を取付け
、先端が鋭角な固定金具カバーで該固定金具を覆い、その上に植生基盤土内包の薄型緑化マット体を押し当ててマット体を貫き後、該固定金具にワッシャーとボルトナットを取付け、当該薄型緑化マット体を法面に密着固定することを特徴としたモルタルやコンクリート法面の緑化工法。
【発明の詳細な説明】
【技術分野】
【０００１】  本発明は、モルタル法面・コンクリート法面に固定金具を用いて植生基盤土内包の薄型緑化マットを法面側から固定し、自然景観の向上と環境負荷の軽減を目的とした緑化工法に関する技術である。
【背景技術】
【０００２】  急傾斜地等の法面をモルタルやコンクリートで覆い崩落防止を図っている法面を多数見受けるが、モルタルやコンクリートで覆われた景観は、その表面が長く緑化されることなく非常に殺風景であるとともにまた、近年社会問題になっている温暖化の一原因を創り出す太陽光の照り返し等による環境に対する影響が批判を浴びるようになった。【０００３】  そこで、緑化の必要性が高まるとともにこの要請に応える緑化工法として、既存のモルタル面を剥離し厚層基材吹付による緑化方法と、モルタル面を剥離せずモルタル面に崩落防止金具（ソイルストッパー）を取付け、金網で覆うた上に植生基盤土を混練泥状化したものを吹付ける緑化工法（特許文献１参照）やコンクリート面にネットを張りツタ類を這わせ緑化する工法が行われている。【０００４】  しかし、モルタル面を剥離し厚層基材吹付による緑化方法は、モルタルの剥離に多大な労力とコストが掛かり、剥離した大量のモルタルは、産業廃棄物として処理を必要とする。また、特許文献１参照の崩落防止金具（ソイルストッパー）を法面に取付け、金網で覆い植生基盤土を吹付ける工法では、吹付けされた基盤材の滑落防止にソイルストッパーを取付けるので、雨水等により植生基盤土が流落してしまう恐れが予想される。さらにコンクリート面にネット等を張りツタ類を這わす緑化工法では、コストを抑えられるがツタ類の生長が遅く、コンクリート面全体を覆うには、施工面積により数年〜複数年かかる問題点がある。【特許文献１】特開平９−２５０１３４号公報
【発明の開示】
【発明が解決しようとする課題】
【０００５】  そこで本発明は、従来の緑化工法の課題に鑑み既設モルタルを剥離することなく、基盤材の流出を防止し、コンクリート面の早期緑化と長期的緑化工法を提供することを目的とする。
【課題を解決するための手段】
【０００６】  本発明は、上記目的を達成するために、モルタルやコンクリートで被覆形成されている法面の適所に適数の固定金具を打込み後、ポリエステルで形成された不織布パッキンを固定金具の寸切ボルトに通し、その上に先端が鋭角に形成された固定金具カバーで該固定金具を覆い、その上に腐食しにくい材質で形成された種子入り植生基盤土内包の薄型緑化マット体（すでに特願２００７−０６１２２２で公知）を押し当てて貫き後、固定金具の寸切ボルトに不織布パッキンとワッシャーを通し、その上からボルトナットで締付け、当該薄型緑化マット体を法面に固定しマット体に内包した種子の発芽により緑化を図る。【０００７】  また、急勾配や凹凸が多く点在する法面では、積雪・融解による植生基盤土内包の薄型緑化マット体の滑落防止のため、固定金具での固定の他に当該薄型緑化マット体上に等間隔にステンレスワイヤーを張り、当該薄型緑化マット体を長期に保護する。
【発明の効果】
【０００８】  従来法面に種子付の植生ネットや植生マット等を設置する場合、法面に敷設した植生ネット等の上からアンカーピンを打設し、植生ネット等を法面に固定して緑化を図っていたが、削孔しなければアンカーピンの打設ができない岩盤・モルタル・コンクリート法面等では、削孔するドリルにネットやマット等が絡みつき施工が不可能で、基盤材吹付による緑化であった。それを解決したのがこの発明で、植生基盤土内包の薄型緑化マット体を上から法面に押さえるのではなく法面側から当該薄型緑化マット体を押さえるので削孔を必要とする岩盤・モルタル・コンクリート法面に安全に該薄型緑化マット体を設置固定ができ確実に早期緑化ができる。さらに基盤材吹付の場合、豪雨等の雨水で基盤材が流出しがちであるが、腐植しにくい材質で形成された植生基盤土内包の薄型緑化マット体内の基盤材は流出することなく長期に渡り保持される。また、急勾配や凹凸が多く点在する法面には、固定された該薄型緑化マット体の上にステンレスワイヤーを等間隔に張ることで法面に確実に固定され、老朽化したモルタルの剥落防止ができる。従って既存のモルタル法面を壊除去することなく経済的で様々な環境負荷の軽減が可能となります。
【発明を実施するための最良の形態】
【０００９】  以下、本発明を図に基づき説明すると、図１（イ）は特願２００７−０６１２２２で公知の植生基盤土内包の薄型緑化マット体１の斜視図であり、（ロ）は薄型緑化マット体１の構造を示す断面図である。構成は、下部より植物の根を通すポリエチレン製平織ネット状シート１ａ、植物の根・芽を通さず吸水と保水の性質を持つポリエステル製保水マット１ｂ、植物の根を通すポリエステル製不織布１ｃの順に重ねて底部を形成し、その底部上に植生基盤土１ｄ（ココピート、水苔、バーク堆肥、ピートモス、木草炭粒の混合土に芝種子、有機肥料、遅効性肥料、化成肥料を添加した人工土壌）を４ｃｍ〜１０ｃｍ厚で敷き詰め圧縮して２ｃｍ〜５ｃｍ厚の植生基盤土に形成し、その上に植物の芽・根を通すレーヨン製不織布１ｅ、植物の芽・根を通すポリエチレン製平織ネット状シート１ａ、の順に重ねて上部を形成し、底部と上部が一体化し植生基盤土の植生基盤体内移動を抑え、構造体を堅持するように縦横所定間隔で腐蝕しにくい縫い糸１ｆを用いて縫製して薄型緑化マット体１とする。【００１０】  図２（イ）は、固定金具のクリップボルト２を示す斜視図で、下部にクリップボルト全長の約１／３の長さで切り込み２ａが数本入っており、底部には該切り込み部分を押し広げる挿入杭２ｂが挿入され、クリップボルト上部（全長の２／３）内部にネジが切られている。設置方法は、モルタル法面等にドリルでクリップボルトが挿入できる穴を空けクリップボルトを打込むと打込まれたクリップボルト底部の挿入杭がモルタル部に当たり該クリップボルトを押し広げモルタル内部に固定される。（ロ）は、固定金具の寸切ボルト３を示す斜視図で、全長がねじ込み式のネジ棒になっている。（ハ）は、モルタル法面等に固定されたクリップボルト２に寸切ボルト３をねじ込み、薄型緑化マット体を固定する固定金具の状態を示した斜視断面図である。【００１１】  図３（イ）は、モルタル法面等に固定された固定金具に植生基盤土内包の薄型緑化マット体を貫通させる固定金具カバー４を示す斜視図で、（ロ）はモルタル法面等に固定された固定金具（クリップボルト２、寸切ボルト３）に固定金具カバー４を装着した状態を示した斜視図である。【００１２】  図４は、モルタル法面６の適所に適数の固定金具（クリップボルト２、寸切ボルト３）を固定取付け後、寸切ボルト３に腐食しにくく裂けにくい不織布パッキン５を通し、固定金具カバー４で覆い、その上に植生基盤土内包の薄型緑化マット体１を押し当ててマット体を貫いた状態を示した断面図である。なお、適所とは凹凸面の凹の部分を指し、適数とはｍ２当たり９本を標準とし、薄型緑化マット体１をモルタル法面６に密着固定する固定金具（クリップボルト、寸切ボルト）の数である。【００１３】  図５は、植生基盤土内包の薄型緑化マット体１をモルタル法面６に密着固定する状態を示した説明図である。図４で示した手順で薄型緑化マット体１を貫いた固定金具カバーを外し、固定金具の寸切ボルト３の頭部に不織布パッキン５とワシャー７を通し、その上からボルトナット８で締め付け、当該薄型緑化マット体１をモルタル法面６に密着固定する。【００１４】  なお、急勾配や凹凸が多く点在する法面では、積雪・融解による薄型緑化マット体の滑落防止のため固定金具（クリップボルト、寸切ボルト）の適所適数の打設とともに薄型緑化マット体上にステンレスワイヤーを等間隔に張り、当該薄型緑化マット体の長期的な保護を図る。【００１５】  図６は、既存のモルタル法面を壊すことなく、モルタル法面に固定された薄型緑化マット体上に芝草が覆った状態を示す完成断面図である。
【図面の簡単な説明】
【００１６】
【図１】植生基盤土内包の薄型緑化マット体を示す斜視図と断面図である。
【図２】固定金具（クリップボルト、寸切ボルト）を示す斜視図である。
【図３】固定金具カバーを示す斜視図である。
【図４】固定金具に薄型緑化マット体を設置する説明図である。
【図５】設置された薄型緑化マット体を固定する説明図である。
【図６】モルタル法面を芝草緑化した実例を示す断面図である。
【符号の説明】
【００１７】    １    薄型緑化マット体    １ａ  平織ネット状シート    １ｂ  吸水マット    １ｃ  不織布    １ｄ  植生基盤土    １ｅ  不織布    １ｆ  縫い糸    ２    クリップボルト    ２ａ    切り込み    ２ｂ    挿入杭    ３    寸切ボルト    ４    固定金具カバー    ５    パッキン    ６    モルタル法面    ７    ワッシャー    ８    ボルトナット
【図２】
0004524003.tif 000002
【図３】
0004524003.tif 000003
【図４】
0004524003.tif 000004
【図５】
0004524003.tif 000005
【図６】
0004524003.tif 000006
【図１】
0004524003.tif 000007